(57)【要約】【課題】  水撃現象を防ぐ水撃防止器の適切な交換時期が報知可能な貯湯式給湯装置を提供する。【解決手段】  給湯管１２に設置された流量センサ１３で配管内を流動する湯水の流量を検知し、流量比較手段２０で検知された流量が設定されている所定流量以上であると判断されれば、流量記憶手段２１でこれまでに所定流量以上を検知した回数にカウントして累計回数を算出し、回数比較手段２２で算出した累計回数が所定回数以上と判断されれば、交換報知手段２３で水撃防止器としてのアキュムレータ１４の交換時期であることをリモコン１６上のモニタ１７に表示し、スピーカ１８で音声で報知することで使用者に知らせる。【選択図】  図１
2011179735.tif 000002
【特許請求の範囲】
【請求項１】
湯水を貯湯する貯湯タンクと、前記貯湯タンクから出湯した湯が流通する湯流路と、水が流通する水流路と、前記湯流路からの湯と前記水流路からの水が混合されて流通する給湯流路と、前記給湯流路途中に設置され流路内を流れる湯水の流量を検知する流量センサと、前記給湯流路途中に設置され水撃を防止する水撃防止器とを備えた貯湯式給湯装置において、前記流量センサで検知された流量が所定値以上であった回数を記憶し、記憶した回数が所定回数以上になったら前記水撃防止器の交換を促すように報知することを特徴とした貯湯式給湯装置。
【発明の詳細な説明】
【技術分野】
【０００１】
この発明は、加熱した湯水を貯湯する貯湯式給湯装置に関するものであり、特に水撃現象による機器の不具合を検知するものである。
【背景技術】
【０００２】
従来、この種のものにおいて、給湯圧力の高圧化によって発生する水撃現象に対処すべく、給湯流路の配管途中に水撃防止器としてのアキュムレータを設置し、配管の脈動や衝撃圧力を吸収できるようにすることで、水撃による配管の損傷等を防止していた。
【先行技術文献】
【特許文献】
【０００３】
【特許文献１】特開２００７−２６３３９４号公報
【発明の概要】
【発明が解決しようとする課題】
【０００４】
しかし、この従来のものでは、水撃による衝撃圧力を受け続けることでアキュムレータを構成する部品が経年劣化し、衝撃圧力を吸収することが困難な状態であっても、アキュムレータの状態を把握する手段が無かったため、配管内部で水撃が発生した際に衝撃圧力を吸収しきれず水撃による衝撃音が発生し、場合によっては配管が破損することもあった。
【課題を解決するための手段】
【０００５】
上記課題を解決するために、本発明の請求項１では湯水を貯湯する貯湯タンクと、前記貯湯タンクから出湯した湯が流通する湯流路と、水が流通する水流路と、前記湯流路からの湯と前記水流路からの水が混合されて流通する給湯流路と、前記給湯流路途中に設置され流路内を流れる湯水の流量を検知する流量センサと、前記給湯流路途中に設置され水撃を防止する水撃防止器とを備えた貯湯式給湯装置において、前記流量センサで検知された流量が所定値以上であった回数を記憶し、記憶した回数が所定回数以上になったら前記水撃防止器の交換を促すように報知するものである。
【発明の効果】
【０００６】
この発明によれば、水撃が発生するとされる大流量の湯水が給湯流路内を通過したことを流量センサで検知し、大流量が検知された回数が所定回数以上になったら、水撃防止器を構成する部品が消耗し交換時期に達したとして使用者に交換を促すことで、水撃の発生による衝撃音や配管の破損等を事前に防止することが可能である。
【図面の簡単な説明】
【０００７】
【図１】この発明の一実施形態を表す貯湯式給湯装置の概略構成図
【図２】この発明の一実施形態の流量制御を説明するフローチャート
【発明を実施するための形態】
【０００８】
次に、この発明を適用した一実施形態を図１に基づいて説明する。
１は加熱手段としてのヒートポンプユニット２で加熱された湯水を貯湯する貯湯タンクであり、３は一定の圧力で給水管４内にある市水を貯湯タンク１内に供給する減圧弁である。
【０００９】
５は貯湯タンク１下部とヒートポンプユニット２を配管で接続するヒーポン往き管であり、６はヒートポンプユニット２と貯湯タンク１上部を配管で接続するヒーポン戻り管であり、７はヒーポン往き管１０途中にあり貯湯タンク１内の湯水をヒートポンプユニット２内に搬送するヒーポン循環ポンプである。
【００１０】
８は貯湯タンク１上部に接続されている湯流路としての出湯管９と給水管４から分岐した水流路としての給水バイパス管１０内を流通する湯水を混合して適当な温度にする混合弁であり、１１は台所や洗面所等の各所に設けられ栓を開放することで湯水を出湯する給湯栓である。
【００１１】
１２は混合弁８で後述するリモコンで設定される給湯設定温度になるように混合させた湯水が給湯栓１１まで流通するよう配管で接続された給湯流路としての給湯管であり、１３は給湯管１２内を流通している湯水の流量を検知する流量センサである。また、１４は給湯管１２内で水撃現象が発生し衝撃圧力が管内にかかった場合、衝撃を吸収する可能な水撃防止器としてのアキュムレータである。
【００１２】
１５は貯湯タンク１の側面高さ方向に複数設置されタンク内に貯湯されている湯水の温度を検知する貯湯温度検知器である。また、１６はヒートポンプユニット２で湯水を沸き上げる各種モード等を選択可能な複数のスイッチを備えたリモコンであり、沸き上げモードや給湯設定温度、現在時刻等の各種情報を表示する表示部としてのモニタ１７と、音声で給湯温度等の各種情報を使用者に報知する音声報知部としてのスピーカ１８を備えている。
【００１３】
１９は流量センサ１３で検知された給湯管１２内を流通する湯水の流量情報に基づいて各種制御を行う流量制御部であり、流量センサ１３で検知された湯水の流量と水撃が発生する可能性の高い所定流量（例えば２０Ｌ／ｍｉｎ）とを比較する流量比較手段２０と、流量センサ１３が所定流量以上を検知した累計回数をカウントして記憶する流量記憶手段２１と、該流量記憶手段２１で出された累計回数とアキュムレータ１４を構成する部品が消耗し水撃防止器としての機能が維持できなくなると考えられる所定回数（例えば１万回）とを比較する回数比較手段２２と、該回数比較手段２２で出された結果が前記所定回数以上であった場合にアキュムレータ１４の交換を促すようリモコン１６上のモニタ１７での表示やスピーカ１８で使用者に報知する交換報知手段２３とを備えている。
【００１４】
次に、この一実施形態の動作を図２のフローチャートに基づいて説明する。
まず、給湯を開始しているか給湯管１２内の流量センサ１３が流量を検知しているかで判断し（Ｓ１０１）、流量が検知されていれば次のステップに進み、流量を検知していなければ給湯していないとして該Ｓ１０１の判断を繰り返す。
【００１５】
Ｓ１０１で給湯を開始していると判断されると、流量センサ１３で給湯管１２内を流通している湯水の流量を検知して（Ｓ１０２）、検知された流量が予め設定されている所定流量以上であるか流量比較手段２０が判断する（Ｓ１０３）。検知流量が所定流量以上であれば、流量記憶手段２１でこれまでに流量センサ１３が所定流量以上を検知した累計回数にカウントして記憶し（Ｓ１０４）、所定流量未満であれば、流量センサ１３での検知結果から給湯を停止するか判断し（Ｓ１０５）、給湯を停止する場合は再びＳ１０１で給湯を開始するか判断し、給湯を継続する場合は再びＳ１０３で検知流量と所定流量が比較される。
【００１６】
Ｓ１０４で流量記憶手段２１が累計回数を記憶したら、該累計回数とアキュムレータ１４が水撃防止器としての機能を維持できる範囲の所定回数とを回数比較手段２２で比較し（Ｓ１０６）、累計回数が所定回数以上であれば、交換報知手段２３によってリモコン１６上のモニタ１７での表示やスピーカ１８による音声案内でアキュムレータ１４の交換作業を報知し（Ｓ１０７）、累計回数が所定回数未満であれば、流量センサ１３での検知結果から給湯を停止するか判断して（Ｓ１０８）、給湯を停止する場合は再びＳ１０１で給湯を開始するか判断し、給湯を継続する場合は該Ｓ１０８の判断を繰り返す。
【００１７】
以上のように、流量センサ１３で検知された流量が所定流量以上だった回数を記憶し、記憶された前記所定流量以上を検知した累計回数が所定回数以上となった場合、リモコン１６上にあるモニタ１７やスピーカ１８によって使用者にアキュムレータ１４の交換を促すことで、水撃防止器としてのアキュムレータ１４の交換時期を簡単かつ低コストな構成で適切に判断でき、水撃による衝撃音や配管の破損等の不具合が発生することを防ぐ。
【符号の説明】
【００１８】
１    貯湯タンク
９    出湯管
１０    給水バイパス管
１２    給湯管
１３    流量センサ
１４    アキュムレータ
【図１】
2011179735.tif 000003
【図２】
2011179735.tif 000004